【事件の表示】
　特願２００９−５５０３６７「液体処理組成物」拒絶査定不服審判事件〔平成２０年　９月２５日国際公開、ＷＯ２００８／１１４２２６、平成２２年　６月　３日国内公表、特表２０１０−５１９３６５〕について、次のとおり審決する。
【結　論】
　本件審判の請求は、成り立たない。
【理　由】
第１　手続の経緯 
　本件審判請求に係る出願（以下「本願」という。）は、２００８年３月１９日の国際出願日（パリ条約に基づく優先権主張：２００７年３月２０日、欧州特許庁）に出願されたものとみなされる特許出願であって、以降の手続の経緯は以下のとおりである。 
　
　平成２１年　８月２５日　　　国内書面（願書）提出
　　　　　　　　　　同日　　　出願審査請求
　平成２４年　５月３１日付け　拒絶理由通知
　平成２４年１２月　４日　　　意見書・手続補正書
　平成２５年　９月１１日付け　拒絶査定
　平成２６年　１月１０日　　　本件審判請求
　　　　　　　　　　同日　　　手続補正書
　平成２６年　１月１７日付け　審査前置移管
　平成２６年　２月　４日付け　前置報告書
　平成２６年　２月　７日付け　審査前置解除
　平成２７年　１月２０日付け　拒絶理由通知（最後）
　　　　　　　　　　同日付け　補正の却下の決定
　平成２７年　４月１５日　　　意見書・手続補正書
　
第２　原査定の概要
　原審では、概略、下記のとおりの拒絶理由が通知され、当該拒絶理由をもって拒絶査定がなされた。
＜拒絶理由通知＞
「理　由
　
１．・・（中略）・・
２．・・（中略）・・
３．この出願は、特許請求の範囲の記載が下記の点で、特許法第３６条第６項第１号に規定する要件を満たしていない。
４．・・（中略）・・
　
　　　　記　　　（引用文献等については引用文献等一覧参照）
　
・・（中略）・・
・理由３
　本願実施例には、付着補助剤として「アクリルアミド／ＭＡＰＴＡＣ」又は「ポリクアテルニウム１０カチオン性ヒドロキシルエチルセルロース」、織物色相染料として「ＤＶ９９」を用いた組成物の調整例が記載されているが、前記組成物を用いた場合の具体的・客観的な試験データは開示されておらず、前記組成物を用いた場合にどのような効果が得られるのかが不明であり、前記組成物が本願発明の課題（段落［０００５］等）を解決できるのか否かは不明である。
　さらに、本願発明の「付着補助剤」、「織物色相染料」には、それぞれ広範な化合物及びその組合せが包含されると思料されるが、付着補助剤、織物色相染料及びこれらの組合せにより奏せられる効果を予測することが困難であることが出願時の技術常識といえるところ、本願発明における付着補助剤と織物色相染料及びこれらの組合せの全般について、本願所望の効果が奏され、本願発明の課題が解決できるのか否かも不明である。
　よって、請求項１〜１９に係る発明の範囲にまで、発明の詳細な説明に開示された内容を拡張ないし一般化できるとはいえない。
・理由４
・・（後略）」
　
＜拒絶査定＞
「この出願については、平成２４年　５月３１日付け拒絶理由通知書に記載した理由１〜４によって、拒絶をすべきものです。
　なお、意見書及び手続補正書の内容を検討しましたが、拒絶理由を覆すに足りる根拠が見いだせません。
　
備考
・・（中略）・・
・理由３について
　先の拒絶理由通知書に記載したとおり、本願実施例には、組成物の調整例が記載されるのみであり、当該組成物を用いた場合にどのような効果が得られるのかが不明であるところ、当該組成物ないし本願請求項に規定される組成物が、本願発明の課題（段落［０００５］等）を解決できるのか否かは、依然として不明である。
　よって、請求項１〜１６に係る発明の範囲にまで、発明の詳細な説明に開示された内容を拡張ないし一般化できるとはいえない。
　なお、本願実施例の組成物が、本願請求項に規定される要件を満たすのか否かも不明である。
　
・理由４について
・・（後略）」
　
第３　本願特許請求の範囲に記載された事項及び本願に係る発明
　平成２７年４月１５日付け手続補正書により補正された本願特許請求の範囲には、以下の事項が記載されている。
「【請求項１】
　付着補助剤と織物色相染料とを組み合わせて含んでなる布地の処理のための液体処理組成物であって、
　前記付着補助剤が、カチオン性セルロースエーテルおよびコポリマーを含んでなり、前記コポリマーが、
　ａ）Ｎ，Ｎ−ジメチルアミノエチルアクリレート、Ｎ，Ｎ−ジメチルアミノエチルメタクリレート（ＤＭＡＭ）、［２−（メタクリロイルアミノ）エチル］トリ−メチルアンモニウムクロリド（ＱＤＭＡＭ）、Ｎ，Ｎ−ジメチルアミノプロピルアクリルアミド（ＤＭＡＰＡ）、Ｎ，Ｎ−ジメチルアミノプロピルメタクリルアミド（ＤＭＡＰＭＡ）、アクリルアミドプロピルトリメチルアンモニウムクロリド、メタクリルアミドプロピルトリメチルアンモニウムクロリド（ＭＡＰＴＡＣ）、四級化ビニルイミダゾール、及びジアリルジメチルアンモニウムクロリド及びこれらの誘導体からなる群から選択される第１のカチオン性モノマーと、
　ｂ）アクリルアミド、ヒドロキシエチルアクリレート（ＨＥＡ）、ヒドロキシプロピルアクリレート及びその誘導体、アクリル酸、メタクリル酸、マレイン酸、ビニルスルホン酸、スチレンスルホン酸、アクリルアミドプロピルメタンスルホン酸（ＡＭＰＳ）及びこれらの塩からなる群から選択される第２のモノマーと、
を含むコポリマーから選択され、
　さらに、前記色相染料が、トリアリールメタンブルー塩基性染料、トリアリールメタンバイオレット塩基性染料、メチンブルー塩基性染料、メチンバイオレット塩基性染料、アントラキノンブルー塩基性染料、アントラキノンバイオレット塩基性染料、アゾ染料塩基性ブルー１６、塩基性ブルー６５、塩基性ブルー６６、塩基性ブルー６７、塩基性ブルー７１、塩基性ブルー１５９、塩基性バイオレット１９、塩基性バイオレット３５、塩基性バイオレット３８、若しくは塩基性バイオレット４８、オキサジン染料塩基性ブルー３、塩基性ブルー７５、塩基性ブルー９５、塩基性ブルー１２２、塩基性ブルー１２４、塩基性ブルー１４１、若しくはナイルブルーＡ、キサンテン染料塩基性バイオレット１０、アルコキシル化アントラキノン高分子着色剤、アルコキシル化トリフェニルメタン高分子着色剤、アルコキシル化チオフェン高分子着色剤、またはこれらの混合物からなる群から選択され、かつ、少なくとも１０の色相効率、および３０％〜８５％の範囲の洗浄除去値を示す色相染料からなる群から選択されるものであることを特徴とする、液体処理組成物。
【請求項２】
　前記色相染料が、少なくとも１５の色相効率、及び４０％〜８５％の範囲の洗浄除去値を示す、請求項１に記載の液体処理組成物。
【請求項３】
　重量で０．０００１％〜０．１％の色相染料を含む、請求項１または２に記載の液体処理組成物。
【請求項４】
　前記色相染料がメチンブルー塩基性染料またはメチンバイオレット塩基性染料である、請求項１〜３のいずれか１項に記載の液体処理組成物。
【請求項５】
　前記色相染料がアルコキシル化アントラキノン高分子着色剤である、請求項１〜３のいずれか１項に記載の液体処理組成物。
【請求項６】
　前記色相染料がアルコキシル化トリフェニルメタン高分子着色剤である、請求項１〜３のいずれか１項に記載の液体処理組成物。
【請求項７】
　前記色相染料がアルコキシル化チオフェン高分子着色剤である、請求項１〜３いずれか１項に記載の液体処理組成物。
【請求項８】
　布地柔軟化剤、色保護剤、毛玉低減剤、磨耗防止剤、皺防止剤、およびこれらの混合物からなる群から選択された布地ケア有益剤を更に含む、請求項１〜７のいずれか１項に記載の液体処理組成物。
【請求項９】
　前記組成物が、水溶性フィルム内に包装された液体の形態である、請求項１〜８のいずれか１項に記載の液体処理組成物。
【請求項１０】
　非着色布地直接染料を更に含む、請求項１〜９のいずれか１項に記載の液体処理組成物。
【請求項１１】
　アニオン性界面活性剤、非イオン性界面活性剤、およびこれらの混合物から選択される界面活性剤を更に含む、請求項１〜１０のいずれか一項に記載の液体処理組成物。
【請求項１２】
　付着補助剤を含む組成物を用いて洗濯される布地の、清浄度に対する認識を改善させるための色相染料の使用方法であって、請求項１〜１１のいずれか１項に記載の液体処理組成物を使用することを特徴とする、方法。
【請求項１３】
　付着補助剤と織物色相染料とを組み合わせて含んでなる布地の処理のための非水性液体処理組成物であって、
　前記付着補助剤が、前記付着補助剤が、カチオン性セルロースエーテルおよびコポリマーを含んでなり、前記コポリマーが、
　ａ）Ｎ，Ｎ−ジメチルアミノエチルアクリレート、Ｎ，Ｎ−ジメチルアミノエチルメタクリレート（ＤＭＡＭ）、［２−（メタクリロイルアミノ）エチル］トリ−メチルアンモニウムクロリド（ＱＤＭＡＭ）、Ｎ，Ｎ−ジメチルアミノプロピルアクリルアミド（ＤＭＡＰＡ）、Ｎ，Ｎ−ジメチルアミノプロピルメタクリルアミド（ＤＭＡＰＭＡ）、アクリルアミドプロピルトリメチルアンモニウムクロリド、メタクリルアミドプロピルトリメチルアンモニウムクロリド（ＭＡＰＴＡＣ）、四級化ビニルイミダゾール、及びジアリルジメチルアンモニウムクロリド及びこれらの誘導体からなる群から選択される第１のカチオン性モノマーと、
　ｂ）アクリルアミド、ヒドロキシエチルアクリレート（ＨＥＡ）、ヒドロキシプロピルアクリレート及びその誘導体、アクリル酸、メタクリル酸、マレイン酸、ビニルスルホン酸、スチレンスルホン酸、アクリルアミドプロピルメタンスルホン酸（ＡＭＰＳ）及びこれらの塩からなる群から選択される第２のモノマーと、を含むコポリマーから選択され、
　さらに、前記色相染料が、トリアリールメタンブルー塩基性染料、トリアゾールメタンバイオレット塩基性染料、メチンブルー塩基性染料、メチンバイオレット塩基性染料、アントラキノンブルー塩基性染料、アントラキノンバイオレット塩基性染料、アゾ染料塩基性ブルー１６、塩基性ブルー６５、塩基性ブルー６６、塩基性ブルー６７、塩基性ブルー７１、塩基性ブルー１５９、塩基性バイオレット１９、塩基性バイオレット３５、塩基性バイオレット３８、若しくは塩基性バイオレット４８、オキサジン染料塩基性ブルー３、塩基性ブルー７５、塩基性ブルー９５、塩基性ブルー１２２、塩基性ブルー１２４、塩基性ブルー１４１、若しくはナイルブルーＡ、キサンテン染料塩基性バイオレット１０、アルコキシル化アントラキノン高分子着色剤、アルコキシル化トリフェニルメタン高分子着色剤、アルコキシル化チオフェン高分子着色剤、またはこれらの混合物からなる群から選択され、かつ、少なくとも１０の色相効率、および３０％〜８５％の範囲の洗浄除去値を示す色相染料からなる群から選択されるものであることを特徴とする、非水性液体処理組成物。」
（以下、上記請求項１に記載された事項で特定されたとおりの発明を「本願発明」という。）
　
第４　当審の判断
　当審は、以下詳述する理由により、本願は拒絶すべきものと判断する。
　
・特許法第３６条第６項に係る理由について
　事案に鑑み、特許法第３６条第６項、特に同法同条同項第１号に係る要件（いわゆる「サポート要件」）につき、検討する。
　
１．本願発明の解決しようとする課題
　本願明細書の発明の詳細な説明には、本願発明の解決すべき課題に関し、以下の記載がある。（以下の摘記における下線部は当審が付した。）
　
「【背景技術】
【０００２】
　布地の処理に用いる組成物は、一般的に、布地の洗浄に使用する洗剤、布地の柔軟化及び一般的ケアに使用する柔軟剤又はコンディショナー、並びに布地の洗浄、柔軟化及びケアを目的とする柔軟／コンディショニング洗剤に特徴づけられる。本発明は、最後の種類の布地処理組成物に関する。
【０００３】
　洗剤組成物は一般に、布地から汚れや染みを浮かし、油状汚れを乳化する界面活性剤を含む。一方で、
布地ケア有益剤は意図的に布地上に付着され、柔軟な感触を付与したり、皺防止、アイロンの容易さ、色の保護、毛玉／毛羽立ちの低減、摩擦防止、及び同種の利益を提供したりする。これら布地ケア有益剤の布地表面上への付着を促進するため、出願者らは、付着補助剤の使用が有益である
【０００４】
　
しかし出願者らは、付着補助剤の存在により、実際に有益剤の布地上への付着が増加する一方で、洗浄水からの汚れ、特に負に帯電した汚れの布地上への再付着も増加する
布地ケアを改善しつつも、クリーニング性能への悪影響
クリーニング性能の低減
【発明の概要】
【発明が解決しようとする課題】
【０００５】
　したがって出願者らは、本発明の目的を、
良好なクリーニング性能及び改善された柔軟性能又はケア性能を有する洗剤組成物を提供する
　
　上記記載からみて、本願発明の解決課題は、「布地ケア有益剤の布地表面上への付着を促進するための付着補助剤の存在によるクリーニング性能の低下を防止した、良好なクリーニング性能及び改善された柔軟性能又はケア性能を有する洗剤組成物を提供する」というものであると認められる。
　
２．本願明細書の発明の詳細な説明の記載 
　本願発明の詳細な説明には、本願発明の課題の解決に関して次の記載がある。
　
（ａ）
「【０００６】
　本発明により、付着補助剤及び織物色相染料を含む、布地の処理に好適な液体処理組成物が提供される。
【０００７】
　出願者らは、織物色相染料を付着補助剤を含む組成物に添加すると、組成物の清浄度に対する認識が改善されることを見出した。色相染料は、繰り返しの着用及び洗濯後の、望ましくない白色布地の黄変や、その他薄色布地の同様の変色を改善することが分かっている。色相染料、つまり青味づけ染料は、洗濯の洗浄及び／又はすすぎサイクル中に布地に付着し、布地に対し、消費者が清浄であると認識する青色の色相を与える。」
　
（ｂ）
「【００３３】
　付着補助剤
　本明細書で使用する場合、「付着補助剤」は、洗濯中に布地ケア有益剤の布地への付着を顕著に高める、あらゆるカチオン性ポリマー又はカチオン性ポリマーの組み合わせを指す。
【００３４】
　有効な付着助剤は、好ましくは、ファンデルワールス力のような物理力、あるいは水素結合及び／又はイオン結合のような非共有化学結合を介した、水不溶性布地ケア有益剤との強い結合能力を有する。それは、好ましくは、天然の織物繊維、特に綿繊維に対して非常に強い親和力を有する。
【００３５】
　付着補助剤は水溶性であり、水不溶性の布地ケア有益剤の粒子表面を被覆するか、又はいくつかの粒子を結束させることができるように柔軟な分子構造を有する必要がある。したがって、分子の柔軟性を欠く傾向があるあるため、付着補助剤は架橋されないことが好ましく、網目構造を有さないことが好ましい。
【００３６】
　布地ケア有益剤を布地上に推進させるためには、付着補助剤の正味電荷は布地と布地ケア有益剤との間の反発に打ち勝つために好ましくは正であり、これは大抵の布地が水性の環境中でわずかに負電荷を有する織物繊維を含むからである。水中でわずかに負の電荷を示す繊維の例には、これだけに限定するものではないが、綿、レーヨン、絹、羊毛などが含まれる。
【００３７】
　好ましくは、付着助剤はカチオン性又は両性ポリマーである。本発明の両性ポリマーは、やはりカチオン性の正味電荷を有し、すなわち、これらのポリマー上にあるカチオン性電荷の合計が、アニオン性電荷の合計を上回る。ポリマーのカチオン電荷密度は、約０．０５ミリ当量／ｇ〜約６ミリ当量／ｇの範囲である。電荷密度は、繰り返し単位当たりの正味電荷数を、繰り返し単位の分子量で割ることにより計算される。一実施形態においては、電荷密度は、約０．１ミリ等量／ｇ〜約３ミリ当量／ｇで変化する。正電荷は、ポリマーの主鎖又はポリマーの側鎖上に存在することができる。
【００３８】
　付着増強剤の非限定的例は、カチオン性多糖類、キトサン及びその誘導体、並びにカチオン性合成ポリマーである。」
　
（ｃ）
「【００３９】
ａ．カチオン性多糖類
　カチオン性多糖類には、それらに限定されないが、カチオン性セルロース誘導体、カチオン性グアーガム誘導体、キトサン及び誘導体、並びにカチオン性デンプンが挙げられる。・・（中略）・・
【００４０】
　好適なカチオン性多糖類の一群はカチオン性セルロース誘導体であり、好ましくはカチオン性セルロースエーテル類である。・・（中略）・・
【００４２】
　構造式Ｉのカチオン性セルロースエーテル類には、同様に、市販のものが包含され、市販物質を従来式に化学修飾することによって調製できる物質が更に包含される。構造式Ｉ型の市販のセルロースエーテルとしては、ＪＲ　３０Ｍ、ＪＲ　４００、ＪＲ　１２５、ＬＲ　４００及びＬＫ　４００ポリマー（これら全ては、アマコール社（Ａｍｅｒｃｈｏｌ　Ｃｏｒｐｏｒａｔｉｏｎ）（ニュージャージー州、エッジウォーター（Ｅｄｇｅｗａｔｅｒ））から販売される）、並びにセルクアト（Ｃｅｌｑｕａｔ）Ｈ２００及びセルクアトＬ−２００（ブリッジウォーター（Ｂｒｉｄｇｅｗａｔｅｒ）（ニュージャージー州）のナショナル・スターチ・アンド・ケミカル社（Ｎａｔｉｏｎａｌ　Ｓｔａｒｃｈ　ａｎｄ　Ｃｈｅｍｉｃａｌ　Ｃｏｍｐａｎｙ）から入手可能）が挙げられる。」
　
（ｄ）
「【００４５】
ｂ．合成カチオン性ポリマー
　一般にカチオン性ポリマー及びその製造方法は、文献において知られている。例えば、カチオン性ポリマーの詳細な説明は、「高分子科学−化学雑誌（Ｊｏｕｒｎａｌ　ｏｆ　Ｍａｃｒｏｍｏｌｅｃｕｌａｒ　Ｓｃｉｅｎｃｅ−Ｃｈｅｍｉｓｔｒｙ）」Ａ４巻６号、１３２７〜１４１７頁、１９７０年１０月発行、のＭ．フレッド・フーバー（Ｍ．Ｆｒｅｄ　Ｈｏｏｖｅｒ）による記事に見ることができる。フーバー（Ｈｏｏｖｅｒ）の記事で開示された全内容は、参照として本明細書に組み込まれる。その他の好適なカチオン性ポリマー類は、紙の製造で歩留まり向上剤として使用されるものである。これらのポリマーは、ジェームズ・ケーシー（Ｊａｍｅｓ　Ｃａｓｅｙ）編集の「パルプ及び紙、化学及び化学技術第３巻（Ｐｕｌｐ　ａｎｄ　Ｐａｐｅｒ，　Ｃｈｅｍｉｓｔｒｙ　ａｎｄ　Ｃｈｅｍｉｃａｌ　Ｔｅｃｈｎｏｌｏｇｙ　Ｖｏｌｕｍｅ　ＩＩＩ）」（１９８１年）に記載されている。これらのポリマーの分子量は２，０００〜５，０００，０００の範囲内である。
・・（中略）・・
【００５８】
　及びこれらの混合物
　本発明に従う好ましいポリマーの非限定的な実施例としては、以下を含むコポリマーが挙げられる。
【００５９】
　ａ）Ｎ，Ｎ−ジアルキルアミノアルキルメタクリレート、Ｎ，Ｎ−ジアルキルアミノアルキルアクリレート、Ｎ，Ｎ−ジアルキルアミノアルキルアクリルアミド、Ｎ，Ｎ−ジアルキルアミノアルキルメタクリルアミド、これらの四級化誘導体、ビニルアミン及びその誘導体、アリルアミン及びその誘導体、ビニルイミダゾール、四級化ビニルイミダゾール及びジアリルジアルキル塩化アンモニウムからなる群から選択されるカチオン性モノマー。
【００６０】
　ｂ）第２モノマーであって、アクリルアミド（ＡＭ）、Ｎ，Ｎ−ジアルキルアクリルアミド、メタクリルアミド、Ｎ，Ｎ−ジアルキルメタクリルアミド、Ｃ１〜Ｃ１２アルキルアクリレート、Ｃ１〜Ｃ１２ヒドロキシアルキルアクリレート、Ｃ１〜Ｃ１２ヒドロキシエーテルアルキルアクリレート、Ｃ１〜Ｃ１２アルキルメタクリレート、Ｃ１〜Ｃ１２ヒドロキシアルキルメタクリレート、ビニルアセテート、ビニルアルコール、ビニルホルムアミド、ビニルアセトアミド、ビニルアルキルエーテル、ビニルブチレート、及びこれらの誘導体並びに混合物、からなる群から選択される。
【００６１】
　好適なカチオン性モノマーには、Ｎ，Ｎ−ジメチルアミノエチルアクリレート、Ｎ，Ｎ−ジメチルアミノエチルメタクリレート（ＤＭＡＭ）、［２−（メタクリロイルアミノ）エチル］トリ−メチルアンモニウムクロリド（ＱＤＭＡＭ）、Ｎ，Ｎ−ジメチルアミノプロピルアクリルアミド（ＤＭＡＰＡ）、Ｎ，Ｎ−ジメチルアミノプロピルメタクリルアミド（ＤＭＡＰＭＡ）、アクリルアミドプロピルトリメチルアンモニウムクロリド、メタクリルアミドプロピルトリメチルアンモニウムクロリド（ＭＡＰＴＡＣ）、四級化ビニルイミダゾール、及びジアリルジメチルアンモニウムクロリド及びこれらの誘導体が挙げられる。
【００６２】
　好適な第２のモノマーｓｎには、アクリルアミド、Ｎ，Ｎ−ジメチルアクリルアミド、Ｃ１〜Ｃ４アルキルアクリレート、Ｃ１〜Ｃ４ヒドロキシアルキルアクリレート、ビニルホルムアミド、ビニルアセテート、及びビニルアルコールが挙げられる。最も好適な非イオン性モノマーは、アクリルアミド、ヒドロキシエチルアクリレート（ＨＥＡ）、ヒドロキシプロピルアクリレート及びその誘導体、アクリル酸、メタクリル酸、マレイン酸、ビニルスルホン酸、スチレンスルホン酸、アクリルアミドプロピルメタンスルホン酸（ＡＭＰＳ）及びこれらの塩がある。
・・（中略）・・
【００６４】
　付着ポリマーが処方可能であり、組成物中で安定であるためには、ポリマーに組み入れられるモノマーがコポリマーを形成することが重要であり、大きく異なった反応性比を有するがモノマーが使用される場合には特に正しい。市販のコポリマーと異なって、本明細書の付着ポリマーは、モノマーの１０重量％未満の遊離モノマー含量を有し、好ましくは５重量％未満である。付着ポリマーを含有し、遊離モノマー含量が低い反応生成物を製造するのに好適な合成条件は以下に記述される。
【００６５】
　付着支援ポリマーはランダム型、ブロック型、グラフト型で可能である。それらは線状又は分岐状であることができる。付着支援ポリマーは約１〜約６０モル％、好ましくは約１〜約４０モル％のカチオン性モノマー反復単位及び約９８〜約４０モル％、約６０〜約９５モル％の非イオン性モノマー反復単位を有する。」
　
（ｅ）
「【００６９】
　織物色相染料
　本発明の組成物は、その本質的な特徴として色相染料を含む。本洗剤組成物に包含される色相染料は、好ましくは少なくとも１０の色相効率、及び約３０％〜約８５％の範囲の洗浄除去値を示す。こうした染料は、洗濯洗浄サイクル中好ましい着色効率を示し、洗濯後過度の望ましくない蓄積を示さないことがわかった。染料の色相効率は、染料を含有しない溶液中で洗浄された織物サンプルを、染料を含有する溶液中で洗浄された織物サンプルと比較することにより測定され、色相染料が望ましい色付け、例えば白くなること、を付与するのに有効かどうかを示す。・・（中略）・・本洗剤組成物において使用するのに好適な色相染料は、少なくとも１０の色相効率を示す。より具体的な実施形態においては、色相染料は少なくとも１５の色相効率を示す。
【００７０】
　洗浄除去値は、色相染料の織物への蓄積に対する耐性の表示であり、従って、色相染料が色付けには有効であるが、繰返し洗浄した後、望ましくない織物の青味づけを引き起こさないことを示している。・・（中略）・・本洗剤組成物において使用するのに適した色相染料は、約３０％〜約８５％の範囲の洗浄除去値を示す。より具体的な実施形態においては、色相染料は、約４０％〜約８５％、あるいは約４５％〜約８５％の範囲の洗浄除去値を示す。
・・（中略）・・
【００７１】
　色相染料は洗濯洗剤組成物中に洗剤を包含する溶液中で洗浄される布地に着色効果を与えるのに十分な量が含まれる。一実施形態においては、洗剤組成物は、約０．０００１重量％〜約０．１重量％、より具体的には約０．００１重量％〜約０．０５重量％の色相染料を含む。
【００７２】
　本発明による色相効率と洗浄除去値の組合せを示す代表的な染料としては表２に示されるようないくつかのトリアリールメタンブルー及びバイオレット塩基性染料、表３に示されるようなメチンブルー及びバイオレット塩基性染料、表４に示されるようなアントラキノン染料、アントラキノン染料塩基性ブルー３５及び塩基性ブルー８０、アゾ染料塩基性ブルー１６、塩基性ブルー６５、塩基性ブルー６６、塩基性ブルー６７、塩基性ブルー７１、塩基性ブルー１５９、塩基性バイオレット１９、塩基性バイオレット３５、塩基性バイオレット３８、塩基性バイオレット４８、オキサジン染料塩基性ブルー３、塩基性ブルー７５、塩基性ブルー９５、塩基性ブルー１２２、塩基性ブルー１２４、塩基性ブルー１４１、ナイルブルー及びキサンテン染料塩基性バイオレット１０、並びにこれらの混合物が挙げられる。
・・（中略）・・
【００７５】
　得られる着色剤が少なくとも１０の色相効率、及び約３０％〜約８５％の範囲の洗浄除去値を示すとき、こうした材料を、本発明で使用することができる。」
　
（ｆ）
「【実施例】
【０１５０】
【表５】
　
【０１５１】
　濃縮液体洗剤は、以下のように調製される：
【表６】
　
【表７】
　
　１　Ｃ１０〜Ｃ１８のアルキルエトキシサルフェート
　２　Ｃ９〜Ｃ１５直鎖状アルキルベンゼンスルホン酸塩
　３　Ｃ１２〜Ｃ１３エトキシル化（ＥＯ９）アルコール
　４　イリノイ州シカゴのアクゾ（Ａｋｚｏ）ケミカル社より供給される
　５　ノースカロライナ州ノボザイム（Ｎｏｖｏｚｙｍｅｓ）より供給される
　６　ノースカロライナ州ハイポイントのチバ（Ｃｉｂａ）スペシャリティケミカルズ社より供給される
　７　米国特許第４，５９７，８９８号明細書に記載される
　８　米国特許第５，５６５，１４５号明細書に記載される
　９　ＢＡＳＦ社から入手可能な商品名ルーテンシト（ＬＵＴＥＮＳＩＴ）（登録商標）及び国際公開第０１／０５８７４号公報に記載のようなもの
　１０　ダウ・コーニング・コーポレーション（Ｄｏｗ　Ｃｏｒｎｉｎｇ　Ｃｏｒｐｏｒａｔｉｏｎ）（ミシガン州、ミッドランド（Ｍｉｄｌａｎｄ））から供給される
　１１　信越シリコーン（Ｓｈｉｎ−Ｅｔｓｕ　Ｓｉｌｉｃｏｎｅｓ）（オハイオ州、アクロン（Ａｋｒｏｎ））から供給される
　１２　ナルコケミカルズ（Ｎａｌｃｏ　Ｃｈｅｍｃｉａｌｓ）（イリノイ州、ネーパービル（Ｎａｐｅｒｖｉｌｌｅ））から供給される
　１３　エクハード・アメリカ（Ｅｋｈａｒｄ　Ａｍｅｒｉｃａ）（ケンタッキー州、ルーイビル（Ｌｏｕｉｓｖｉｌｌｅ））から供給される
　１４　デグサ社（Ｄｅｇｕｓｓａ　Ｃｏｒｐｏｒａｔｉｏｎ）（バージニア州、ホープウェル（Ｈｏｐｅｗｅｌｌ））から供給される
　１５　ローディア化学（Ｒｈｏｄｉａ　Ｃｈｅｍｉｅ）（フランス）により供給される
　１６　アルドリッチケミカルズ（Ａｌｄｒｉｃｈ　Ｃｈｅｍｉｃａｌｓ）（ウィスコンシン州、グリーンベイ（Ｇｒｅｅｎｂａｙ））から供給される
　１７　ダウケミカルズ（Ｄｏｗ　Ｃｈｅｍｉｃａｌｓ）（ニュージャージー州、エッジウォーター（Ｅｄｇｅｗａｔｅｒ））から供給される
　１８　シェルケミカルズ（Ｓｈｅｌｌ　Ｃｈｅｍｉｃａｌｓ）から供給される
【０１５２】
　以下の比限定的な実施例は本発明を例証する。別途明記しない場合、百分率は重量によるものである。」
　
３．検討
　
（１）まず、本願明細書の発明の詳細な説明の【実施例】に係る部分（摘示（ｆ）参照）を検討すると、全ての具体例（【表５】の実施例ＡないしＤ及び【表６】並びに【表７】の例「１」ないし「９」）において、カチオン性セルロースエーテル（実施例Ｂ及びＣ）又はコポリマー（実施例Ａ及びＤ並びに例「１」ないし「９」）の
いずれか一方を使用する場合
（下線は、当審が付与した。なお、全ての具体例で使用されている「色相染料ＤＶ９９」は、本願請求項１に記載された色相染料に係る特定事項を具備するものであるか否かについても不明である。）
　してみると、上記【実施例】に係る部分における全ての具体例は、いずれも本願発明に係る「付着補助剤が、カチオン性セルロースエーテルおよびコポリマーを含んでなり」という事項を具備しないものであり、さらに、各具体例に係るクリーニング性能及び柔軟性能又はケア性能等の効果について開示されていないのであるから、当該【実施例】に係る記載に基づいて、本願発明が上記課題に対応する効果を奏するであろうと当業者が認識することができるとは認めることができない。
　
（２）また、本願明細書の発明の詳細な説明の上記【実施例】に係る部分以外の部分（【０００１】〜【０１４９】）を検討すると、上記部分には、「付着補助剤」として、「カチオン性セルロース誘導体、カチオン性グアーガム誘導体、・・並びにカチオン性デンプン」などの「カチオン性多糖類、キトサン及びその誘導体、並びにカチオン性合成ポリマー」が使用できることが記載され（摘示（ｂ）及び（ｃ）参照）、さらに、当該「カチオン性合成ポリマー」として、好適には「Ｎ，Ｎ−ジメチルアミノエチルアクリレート、Ｎ，Ｎ−ジメチルアミノエチルメタクリレート（ＤＭＡＭ）、［２−（メタクリロイルアミノ）エチル］トリ−メチルアンモニウムクロリド（ＱＤＭＡＭ）、Ｎ，Ｎ−ジメチルアミノプロピルアクリルアミド（ＤＭＡＰＡ）、Ｎ，Ｎ−ジメチルアミノプロピルメタクリルアミド（ＤＭＡＰＭＡ）、アクリルアミドプロピルトリメチルアンモニウムクロリド、メタクリルアミドプロピルトリメチルアンモニウムクロリド（ＭＡＰＴＡＣ）、四級化ビニルイミダゾール、及びジアリルジメチルアンモニウムクロリド及びこれらの誘導体」等の「カチオン性モノマー」と「アクリルアミド、ヒドロキシエチルアクリレート（ＨＥＡ）、ヒドロキシプロピルアクリレート及びその誘導体、アクリル酸、メタクリル酸、マレイン酸、ビニルスルホン酸、スチレンスルホン酸、アクリルアミドプロピルメタンスルホン酸（ＡＭＰＳ）及びこれらの塩」等の「第２のモノマー」とからなる「コポリマー」を使用すること（摘示（ｄ）参照）が記載されている。
　また、上記部分には、「織物色相染料」として、「少なくとも１０の色相効率、及び約３０％〜約８５％の範囲の洗浄除去値を示す」「表２に示されるようないくつかのトリアリールメタンブルー及びバイオレット塩基性染料、表３に示されるようなメチンブルー及びバイオレット塩基性染料、表４に示されるようなアントラキノン染料、アントラキノン染料塩基性ブルー３５及び塩基性ブルー８０、アゾ染料塩基性ブルー１６、塩基性ブルー６５、塩基性ブルー６６、塩基性ブルー６７、塩基性ブルー７１、塩基性ブルー１５９、塩基性バイオレット１９、塩基性バイオレット３５、塩基性バイオレット３８、塩基性バイオレット４８、オキサジン染料塩基性ブルー３、塩基性ブルー７５、塩基性ブルー９５、塩基性ブルー１２２、塩基性ブルー１２４、塩基性ブルー１４１、ナイルブルー及びキサンテン染料塩基性バイオレット１０、並びにこれらの混合物」を使用することも記載されてはいる（摘示（ｅ）参照）。
　しかしながら、上記「付着補助剤」及び「織物色相染料」に係る記載は、使用できる各成分を列挙するのみにとどまり、各成分を使用することにより、本願発明、すなわち、付着補助剤がカチオン性セルロースエーテルおよび（特定の）コポリマーを含み、色相効率が少なくとも１５で４０〜８５％の洗浄除去値を有する色相染料を更に含む液体処理組成物が、上記解決課題に対応する特段のクリーニング性能及び改善された柔軟性能又はケア性能を有するであろうと当業者が認識することができる作用機序などの技術的裏付け又は根拠となる事項につき、開示されているものとは認められない。
　
（３）そして、本願発明の液体処理組成物が、上記当業者に公知の技術などの従来技術に比して、特段のクリーニング性能及び改善された柔軟性能又はケア性能を有するであろうと当業者が認識することができるような技術常識が、本願出願時（優先日時）において当業者に存したものとも認めることができない。
　したがって、本願明細書の発明の詳細な説明の記載では、たとえ技術常識に照らしたとしても、当該記載に基づき、本願発明が、同発明に係る上記課題を解決できるであろうと当業者が認識できるものではない。
　よって、本願発明は、本願明細書の発明の詳細な説明に記載したものといえず（平成１７年（行ケ）１００４２号判決参照）、本願特許請求の範囲（特に請求項１）の記載は、特許法第３６条第６項第１号の規定に適合するものではない。
　
４．まとめ 
　以上のとおりであるから、本願は、特許法第３６条第６項（柱書）の規定を満たしているものではない。
　
第５　むすび
　結局、本願は、その余につき検討するまでもなく、特許法第４９条第４号に該当し、拒絶すべきものである。
　よって、結論のとおり審決する。